(57)【特許請求の範囲】
【請求項１】
便器本体と、便器本体内に形成されたボウル部と、該ボウル部のボウル面を洗浄するボウル面洗浄手段とを備えた洋風便器装置であって、
使用者が便座に着座した際の使用者の背面側を後方側とし、その反対側を前方側とし、
前記ボウル部の前方壁面上部に互いに反方向を向いた洗浄水の吐出口を設け、ボウル部の後方より給水管路を通じて供給される洗浄水を、該吐出口よりボウル面に沿って後方側に向け左右に振り分けて吐出させ、後方側で合流させてボウル面を洗浄するようにしたことを特徴とする洋風便器装置。
【請求項２】
請求項1に記載の洋風便器装置において、
前記吐出口からの洗浄水の左右への吐出が、前記ボウル面の両側面に沿ってなされることを特徴とする洋風便器装置。
【請求項３】
請求項１または２に記載の洋風便器装置において、
前記ボウル部の後方側壁面上端部に、ボウル面側に突出する水平なリム部を設けたことを特徴とする洋風便器装置。
【発明の詳細な説明】
【技術分野】
【０００１】
本発明は、水洗機能を備えた洋風便器装置に関するものである。
【背景技術】
【０００２】
水洗機能を備えた洋風便器装置は、封水を貯留するボウル部及びその周囲を囲繞するスカート部を備えた便器本体、ボウル部の上端縁部上に開閉自在に設置される便座、便座を含む便器本体の上面をカバーする便蓋、ボウル部の内面（ボウル面）を洗浄する為のボウル面洗浄手段等より構成される。ボウル面洗浄手段としては、特許文献１に開示されるように、ボウル部の後方側からボウル部の上端縁部に形成されたリム部の内面に沿わせて前方側に洗浄水を吐出させ、ボウル面に沿って洗浄水を旋回させるようにしてボウル面の洗浄を行う方式や、特許文献２に開示されるように、ボウル部の後方よりリム部に形成されたリム通水路に洗浄水を供給し、このリム通水路を経てボウル面の洗浄を行うようにした方式等が一般に採用されている。後者の場合におけるリム通水路からの洗浄水の吐出は、リム部に沿って形成されたスリットや、多数のリム孔からなされる。ここで、後方側とは、使用者が便座に着座した際の使用者の背面側を意味し、前方側はその反対側を意味する（以下同様）。
【特許文献１】特開２００１−２７９７９１号公報
【特許文献２】特開２００１−３０３６５０号公報
【発明の開示】
【発明が解決しようとする課題】
【０００３】
上記従来のボウル面洗浄方式においては、いずれもボウル部の後方側より洗浄水が供給・吐出される。この洗浄水の供給・吐出は、１方向或いは左右振り分け２方向になされるが、後方側からの供給・吐出である為、前方側では水勢が低下し、その為、前方側のボウル面には水垢や残汚物等が付着し易くなる。しかも、清掃は便器本体の前側に位置してなされ、この水垢等による汚れ部はボウル部の前側壁部が死角となる為、目に付き難く、清掃が十分に行き渡らないことが往々にしてあった。
【０００４】
本発明は、このような事情に鑑みなされたもので、前方側のボウル面の洗浄も十分になし得ると共に清掃性に優れた洋風便器装置を提供するものである。
【課題を解決するための手段】
【０００５】
上記目的を達成するために、請求項１の発明に係る洋風便器装置は、便器本体と、便器本体内に形成されたボウル部と、該ボウル部のボウル面を洗浄するボウル面洗浄手段とを備えた洋風便器装置であって、使用者が便座に着座した際の使用者の背面側を後方側とし、その反対側を前方側とし、前記ボウル部の前方壁面上部に互いに反方向を向いた洗浄水の吐出口を設け、ボウル部の後方より給水管路を通じて供給される洗浄水を、該吐出口よりボウル面に沿って後方側に向け左右に振り分けて吐出させ、後方側で合流させてボウル面を洗浄するようにしたことを特徴とする。
【０００６】
この発明においては、請求項２の発明のように、前記吐出口からの洗浄水の吐出を、前記ボウル面の両側面に沿って行うようにすることができる。そして、これら発明においては、請求項３の発明のように、前記ボウル部の後方側壁面上端部に、ボウル面側に突出する水平なリム部を設けることが望ましい。
【発明の効果】
【０００７】
請求項１の発明に係る洋風便器装置によれば、洗浄水の吐出がボウル部の前方壁面上部に設けられた吐出口よりボウル面に沿って後方側に向けなされるから、前方側では洗浄水の水勢が強く、その為、前方側のボウル面においては水垢等が付着し難くなる。後方側は水勢が低下して水垢等が付着し易くなるが、前記のような清掃姿勢では、この部分の汚れは目に付き易く、従って、清掃残しになることがなく、ボウル面全体に渡る十分な清掃を行うことができる。
【０００８】
請求項２の発明によれば、吐出口からボウル面の両側面に沿って吐出された洗浄水は、汚物等によって最も汚れ易い後方側部分で合流することになるから、この部分の洗浄が効果的になされる。この発明による特有の効果は、請求項１の発明におけるボウル面の前方側から洗浄水を吐出させることによる効果と相乗し、洗浄効果及び清掃性を高め、この種洋風便器装置の実用価値の向上に大きく寄与することになる。
【０００９】
請求項３の発明によれば、ボウル部の後方側壁面上端部に設けられた水平なリム部により、飛散洗浄水の使用者への影響を回避することができる。特に、洗浄水を前方部から吐出させることにより、後方ボウル面の曲率半径の小さな曲面部分で飛散し易くなるが、このような水平リム部を設けることにより、飛散水を遮断し、着座した使用者の臀部に飛沫が付着することを防止し、使用者に不快感を与えることがない。因みに、ボウル面の前方部分は洗浄水の流れが大きな曲率半径の曲面に沿うことになるから洗浄水の飛散が少なく、このようなリム部を特に設ける必要がない。従って、前方部分ではこのようなリム部が存在しないことにより払拭等による清掃性が高められる。
【発明を実施するための最良の形態】
【００１０】
以下に本発明の最良の実施の形態について、図面に基づいて説明する。図１は本発明の洋風便器装置の一実施形態の要部平面図、図２は同装置の部分切欠斜視図、図３は同装置における便器本体の縦断面図、図４は図３におけるＸ部の拡大図、図５は他の実施形態（参考実施形態）の平面図、図６は同実施形態の図４と同様図、図７及び図８は更に他の実施形態の図４と同様図である。
（実施形態１）
【００１１】
図１、図２において、本発明に係る洋風便器装置Ａは、従来公知の洋風便器装置と同様、封水を貯留するボウル部２及びその周囲を囲繞するスカート部３を備えた便器本体１と、ボウル部２の上端縁部上に開閉自在に設置される便座４と、便座４を含む便器本体１の上面をカバーする便蓋５と、ボウル部２の内面（ボウル面）２Ａを洗浄する為のボウル面洗浄手段６とを基本構成として備えている。ボウル部２の底部は、トラップ部７を介して汚水排水管（不図示）に連通しており、このトラップ部７によってボウル部２の底部に常時所定レベルの水が貯留される。ボウル部２の底部に貯留される貯留水８は、汚水排水管からの汚臭が便器本体１内に流入するのを封止する封水として機能する。その他、不図示の局部洗浄手段や、便座加温手段、これらの制御機器等が必要によって適宜装備される。
【００１２】
便器本体１は、図例のようなボウル部２及びスカート部３が一体とされた樹脂成型品の他、陶磁器によって製せられたものも採用される。ボウル部２の後方側壁面上端部には、ボウル面２Ａ側に突出する水平なリム部９が形成されている。ボウル面洗浄手段６は、便器本体１の後方部内に設置され、不図示の洗浄水タンク或いは上水道に連結された洗浄水供給部６ａと、この洗浄水供給部６ａから導出され、ボウル部２の上端縁部２ａ内を経てボウル部２の前方側に及ぶ給水管路６ｂと、この給水管路６ｂの前端部に連通しボウル部２の前方壁面上部に膨出形成された吐出口形成基部２Ｂに左右振り分け状に開口する２個の洗浄水吐出口６ｃ，６ｃとよりなる。この２個の洗浄水吐出口６ｃ，６ｃは、互いに反方向に向き、ボウル面２Ａの側面に沿って洗浄水が吐出されるよう開口している。この例では、給水管路６ｂ、吐出口形成基部２Ｂ及び吐出口６ｃは、便器本体１の樹脂成型時に一体成型される。
【００１３】
次に、上記構成の洋風便器装置Ａにおけるボウル面２Ａの洗浄態様について説明する。図３、図４に示すように、ボウル面２Ａの前方壁面上部に形成された左右の吐出口６ｃ，６ｃから振り分け吐出された洗浄水ｗは、両側のボウル面２Ａに沿って後方側に向かって流れる。振り分け吐出された洗浄水ｗは、一部ボウル面２Ａに沿ってボウル部２の底部に流下しながらも、ボウル面２Ａの後方側で合流し、ボウル面２Ａの全面を洗い流しながら、トラップ部７を経て汚物等と共に外部の汚水排水管（不図示）に排出される。
【００１４】
このような洗浄態様にあっては、ボウル面２Ａの後方側で、吐出口６ｃより左右に振り分け吐出された洗浄水が合流するので、この部分では洗浄水の飛散が生じ易いが、水平なリム部９によりこの飛散が遮断され、便座４上に着座する使用者に不快感を与えたり、洗浄水が便器本体１から外部に飛び散ったりすることがない。一方、ボウル面２Ａの前方側では洗浄水の流れが大きな曲率半径の曲面に沿い、洗浄水ｗの飛散が少なくなるから、このようなリム部９を設けることを要せず、従って、死角もできず清掃がし易くなる。また、ボウル面２Ａの前方側では、吐出口６ｃ，６ｃから吐出される洗浄水の水勢が強いので、この部分の水垢や残汚物等の付着が減著される。後方の洗浄水ｗの合流部分では、水勢が低下するから汚れが付着し易いが、前記のような清掃姿勢ではこれが目に付き易く清掃残しとなることもない。
（実施形態２）
【００１５】
図５、図６に示す実施形態（参考実施形態）は、洗浄水の吐出がボウル面２Ａに沿って１方向に旋回するようにしたものであり、更に、図６ではボウル部２の上端縁部２ａに、後方側の前記水平リム部９（図１〜図３参照）に連続して前方側部分に及ぶオープンリム部１０を形成した例を示している。このオープンリム部１０は内向湾曲面１０ａを備え、ボウル部２の前方壁面上部であって、この内向湾曲面１０ａに膨出形成された吐出口形成基部２Ｃにボウル面２Ａの周方向に向く１個の吐出口６ｃが開口し、この吐出口６ｃより洗浄水ｗがボウル面２Ａに沿って吐出される。
【００１６】
吐出口６ｃより吐出された洗浄水ｗは、図５に示すような１方向の旋回流となってボウル面２Ａの全面を洗浄し、汚物等と共にトラップ７より不図示の汚水排水管に排出される。このような１方向の旋回流の場合、ボウル面２Ａの後方側では洗浄水ｗの合流による水勢の低下がないため、ボウル面２Ａの全面において均等な洗浄作用が発揮される。また、図６に示すようなオープンリム部１０を設ければ、吐出口６ｃから吐出された洗浄水ｗの一部がその内向湾曲面１０ａを伝って流れるから、上記１方向の旋回流の維持に有効で、ボウル面２Ａの全面においてより均等な洗浄作用が期待できる。このオープンリム部１０は、実施形態１の例にも適用可能である。その他の構成は実施形態１と同様であるから、共通部分に同一の符号を付し、その説明を省略する。
（実施形態３）
【００１７】
図７に示す実施形態は、ボウル部２の上端縁部２ａに、後方側の水平リム部９に連続して前方側部分に及ぶ倒Ｌ形のリム部１１を形成した例を示している。このリム部１１の下辺部１１ａとボウル面２Ａとの間にスリット１１ｂが形成され、リム部１１とボウル面２Ａとにより、スリット１１ｂによる下向き開口を備えたリム空洞部１１ｃが形成される。ボウル部２の前方壁面上部に形成された吐出口６ｃは、このリム空洞部１１ｃ内に開口している。従って、この吐出口６ｃから吐出された洗浄水ｗは、リム空洞部１１ｃ内を後方側に流れ、一部がスリット１１ｂより流下し、ボウル面２Ａを洗浄して、上記同様汚物等と共にトラップ７より不図示の汚水排水管に排出される。
【００１８】
このようなリム部１１を形成することにより、そのリム空洞部１１ｃがリム通水路として機能し、洗浄水ｗが途中で流下する量を少なくし、ボウル面２Ａの全面に洗浄水ｗを行き渡らせることができる。このリム空洞部１１ｃ内に更に洗浄水の整流手段（例えば、仕切り壁等）を設ければ、この機能がより効果的となる。また、リム部１１は図例のような倒Ｌ形とされているから、そのボウル部２側の面の払拭清掃も簡易になし得る。その他の構成は上記各実施形態と同様であるから、ここでも共通部分に同一の符号を付し、その説明を省略する。
（実施形態４）
【００１９】
図８に示す実施形態は、給水管路６ｂが、ボウル部２とスカート部３との間に配管された給水管からなる例を示している。このような給水管路６ｂは、便器本体１の成型時に給水管を成型体内に埋め込むよう配管する場合の他、成型後に所定部位に給水管を組み込むことによっても配管される。図例の吐出口６ｃは、実施形態１と同様に、給水管路６ｂの前端部に連通しボウル部２の前方壁面上部に膨出形成された吐出口形成基部２Ｂに左右振り分け状に開口している。従って、この吐出口６ｃから吐出される洗浄水Ｗの奏する機能は実施形態１の場合と同様である。また、この実施形態を実施形態２或いは実施形態３の例にも適用し得ることは言うまでもない。その他の構成も上記各実施形態と同様であるから、ここでも共通部分に同一の符号を付し、その説明を省略する。
【００２０】
尚、上記実施形態における便器本体１の形状等は図例のものに限定されないことは言うまでもない。また、給水管路６ｂをボウル部２の上端縁部２ａ内及びボウル部２とスカート部３との間に形成した例を示したが、ボウル部２の上端部内壁面に沿わせるように形成することも可能である。更に、この給水管路６ｂの断面形状としては、円形に限らず、楕円形、長円形、方形等種々の形状が採用可能であり、その断面積も所定の洗浄水量となるよう設計的事項として適宜定められる。
【図面の簡単な説明】
【００２１】
【図１】本発明の洋風便器装置の一実施形態における便器本体の平面図である。
【図２】同装置の部分切欠斜視図である。
【図３】同装置における便器本体の縦断面図である。
【図４】図３におけるＸ部の拡大図である。
【図５】他の実施形態（参考実施形態）の便器本体の平面図である。
【図６】同実施形態の図４と同様図である。
【図７】更に他の実施形態の図４と同様図である。
【図８】更に他の実施形態の図４と同様図である。
【符号の説明】
【００２２】
１      便器本体
２      ボウル部
２Ａ    ボウル面
４      便座
６      ボウル面洗浄手段
６ｂ    給水管路
６ｃ    洗浄水の吐出口
９      水平リム部
Ａ      洋風便器装置
【図１】
0004661689.tif 000002
【図２】
0004661689.tif 000003
【図３】
0004661689.tif 000004
【図４】
0004661689.tif 000005
【図５】
0004661689.tif 000006
【図６】
0004661689.tif 000007
【図７】
0004661689.tif 000008
【図８】
0004661689.tif 000009